(57)【要約】      （修正有）【課題】流れから放射性物質を受動的にフィルタ処理するように構成されたシステムを提供する。【解決手段】流れから放射性物質の微粒子を機械的に除去する微粒子除去装置３１０と、流れから水を機械的に除去する水除去装置３１６と、設計されたろ過材を使用して流れから放射性エアロゾル、反応性放射性ガス、または放射性エアロゾルおよび反応性放射性ガスを除去する放射性核種除去装置３２２からなる。【選択図】図３
2015036685.tif 000002
【特許請求の範囲】
【請求項１】
流れ（３０２、３１２、３１８、３２４、７３０）から放射性物質を受動的にフィルタ処理するように構成されたシステム（３００、７００、８００）であって、
１つまたは複数の微粒子除去装置（３１０、７２２）と、
１つまたは複数の水除去装置（３１６、７２４）と、
１つまたは複数の放射性核種除去装置（３２２、７２６）と
を備えるシステム（３００、７００、８００）において、
前記１つまたは複数の微粒子除去装置（３１０、７２２）の少なくとも１つが、前記流れ（３０２、３１２、３１８、３２４、７３０）から前記放射性物質の微粒子を機械的に除去し、
前記１つまたは複数の水除去装置（３１６、７２４）の少なくとも１つが、前記流れ（３０２、３１２、３１８、３２４、７３０）から水を機械的に除去し、
前記１つまたは複数の放射性核種除去装置（３２２、７２６）の少なくとも１つが、設計されたろ過材（５２２）を使用して、前記流れ（３０２、３１２、３１８、３２４、７３０）から放射性エアロゾル、反応性放射性ガス、または放射性エアロゾルおよび反応性放射性ガスを除去する、システム（３００、７００、８００）。
【請求項２】
前記放射性物質が、１つまたは複数の反応性ガス状の放射性物質、液体放射性物質、および微粒子放射性物質を含む、請求項１に記載のシステム（３００、７００、８００）。
【請求項３】
前記１つまたは複数の微粒子除去装置（３１０、７２２）が、前記流れ（３０２、３１２、３１８、３２４、７３０）の方向に、前記１つまたは複数の水除去装置（３１６、７２４）よりも前に配置される、請求項１に記載のシステム（３００、７００、８００）。
【請求項４】
前記１つまたは複数の微粒子除去装置（３１０、７２２）が、前記流れ（３０２、３１２、３１８、３２４、７３０）の方向に、前記１つまたは複数の放射性核種除去装置（３２２、７２６）よりも前に配置される、請求項１に記載のシステム（３００、７００、８００）。
【請求項５】
前記１つまたは複数の水除去装置（３１６、７２４）が、前記流れ（３０２、３１２、３１８、３２４、７３０）の方向に、前記１つまたは複数の放射性核種除去装置（３２２、７２６）よりも前に配置される、請求項１に記載のシステム（３００、７００、８００）。
【請求項６】
前記１つまたは複数の微粒子除去装置（３１０、７２２）の前記少なくとも１つが、重力沈下を使用して、前記流れ（３０２、３１２、３１８、３２４、７３０）から前記放射性物質の微粒子を機械的に除去する、請求項１に記載のシステム（３００、７００、８００）。
【請求項７】
前記１つまたは複数の水除去装置（３１６、７２４）の前記少なくとも１つの中で、前記流れ（３０２、３１２、３１８、３２４、７３０）を混ぜることによって、前記流れ（３０２、３１２、３１８、３２４、７３０）の中の熱泳動力を低減する、請求項１に記載のシステム（３００、７００、８００）。
【請求項８】
前記１つまたは複数の水除去装置（３１６、７２４）の前記少なくとも１つの中で、前記流れ（３０２、３１２、３１８、３２４、７３０）からの熱遮断によって、前記流れ（３０２、３１２、３１８、３２４、７３０）の中の熱泳動力を低減する、請求項１に記載のシステム（３００、７００、８００）。
【請求項９】
前記１つまたは複数の放射性核種除去装置（３２２、７２６）の前記少なくとも１つの中で、前記流れ（３０２、３１２、３１８、３２４、７３０）を混ぜることによって、前記流れ（３０２、３１２、３１８、３２４、７３０）の中の熱泳動力を低減する、請求項１に記載のシステム（３００、７００、８００）。
【請求項１０】
前記１つまたは複数の放射性核種除去装置（３２２、７２６）の前記少なくとも１つの中で、前記流れ（３０２、３１２、３１８、３２４、７３０）からの熱遮断によって、前記流れ（３０２、３１２、３１８、３２４、７３０）の中の熱泳動力を低減することによって、捕集を改良する、請求項１に記載のシステム（３００、７００、８００）。
【請求項１１】
前記ろ過材（５２２）が、１つまたは複数の活性アルミナ（Ａｌ2Ｏ3）、活性炭、有機ワックス、およびプラスチックを含む、請求項１に記載のシステム（３００、７００、８００）。
【請求項１２】
前記ろ過材（５２２）が、１つまたは複数の高性能（ＨＥＰＡ：ｈｉｇｈ−ｅｆｆｉｃｉｅｎｃｙ  ｐａｒｔｉｃｕｌａｔｅ  ａｉｒ）フィルタを含む、請求項１に記載のシステム（３００、７００、８００）。
【請求項１３】
流れ（３０２、３１２、３１８、３２４、７３０）から放射性物質を受動的にフィルタ処理するための方法であって、
前記流れ（３０２、３１２、３１８、３２４、７３０）から前記放射性物質の微粒子を機械的に除去するステップ（Ｓ４００）と、
前記流れ（３０２、３１２、３１８、３２４、７３０）から水を機械的に除去するステップ（Ｓ４１０）と、
ろ過材（５２２）を使用して、前記流れ（３０２、３１２、３１８、３２４、７３０）から放射性エアロゾル、反応性放射性ガス、または放射性エアロゾルおよび反応性放射性ガスを除去するステップ（Ｓ４２０）と
を含む方法。
【請求項１４】
前記流れ（３０２、３１２、３１８、３２４、７３０）から前記放射性物質の前記微粒子を前記機械的に除去するステップ（Ｓ４００）が、前記流れ（３０２、３１２、３１８、３２４、７３０）から水を前記機械的に除去するステップ（Ｓ４１０）に先行する、請求項１３に記載の方法。
【請求項１５】
前記流れ（３０２、３１２、３１８、３２４、７３０）から前記放射性物質の前記微粒子を前記機械的に除去するステップ（Ｓ４００）が、前記ろ過材（５２２）を使用して、前記流れ（３０２、３１２、３１８、３２４、７３０）から前記放射性エアロゾル、反応性放射性ガス、または放射性エアロゾルおよび反応性放射性ガスを前記除去するステップ（Ｓ４２０）に先行する、請求項１３に記載の方法。
【請求項１６】
前記流れ（３０２、３１２、３１８、３２４、７３０）から前記水を前記機械的に除去するステップ（Ｓ４１０）が、前記ろ過材（５２２）を使用して、前記流れ（３０２、３１２、３１８、３２４、７３０）から前記放射性エアロゾル、反応性放射性ガス、または放射性エアロゾルおよび反応性放射性ガスを前記除去するステップ（Ｓ４２０）に先行する、請求項１３に記載の方法。
【請求項１７】
入口（５０４）および出口（５１０）を含む本体（５０２）を備えるフィルタ（５００）において、
前記本体（５０２）が、ろ過材（５２２）を格納するように構成され、
前記本体（５０２）が、ガス爆発からの圧力を収容するように更に構成され、
前記本体（５０２）が、前記入口（５０４）で圧力が増加する場合、前記格納されたろ過材（５２２）を前記出口（５１０）に向かって移動させることができるように更に構成されている、フィルタ（５００）。
【請求項１８】
前記入口（５０４）で圧力が増加する場合、前記格納されたろ過材（５２２）が前記出口（５１０）に向かって移動することによって、前記入口（５０４）での前記圧力の前記増加に関連するエネルギーを吸収する、請求項１７に記載のフィルタ（５００）。
【請求項１９】
前記入口（５０４）で圧力が増加する場合、前記格納されたろ過材（５２２）が前記出口（５１０）に向かって移動することによって、前記入口（５０４）での前記圧力の前記増加に関連する前記出口（５１０）での圧力増加を低減する、請求項１７に記載のフィルタ（５００）。
【請求項２０】
前記入口（５０４）で前記圧力が増加する場合、前記格納されたろ過材（５２２）の少なくとも部分が前記フィルタ（５００）を出ることを可能にするが、同時に前記格納されたろ過材（５２２）の前記少なくとも部分を前記環境に放出することを防止するように、前記本体（５０２）が更に構成されている、請求項１７に記載のフィルタ（５００）。
【請求項２１】
第２の出口（５１２）を更に備え、
前記入口（５０４）で前記圧力が増加する場合、前記格納されたろ過材（５２２）の少なくとも部分が前記第２の出口（５１２）を経て前記フィルタ（５００）を出ることを可能にするが、同時に前記格納されたろ過材（５２２）の前記少なくとも部分を前記環境に放出することを防止するように、前記本体（５０２）が更に構成されている、請求項１７に記載のフィルタ（５００）。
【発明の詳細な説明】
【技術分野】
【０００１】
実施例の実施形態は、全体的に、機械的結合および方法に関する。実施例の実施形態は、更に、原子力発電所、ならびに原子力発電所の原子炉圧力容器内の配管を補修するための機械的結合および方法に関する。
【背景技術】
【０００２】
原子力発電所は、重大な原子力事故中に放射能を施設外へ放出すること（例えば、部分的または完全な炉心溶融、溶解した核デブリによる原子炉容器の裂け目など）を軽減するためにフィルタ処理されるベントシステムを含むことができ、または他の任意の場合の格納容器からのベント時には、フィルタ処理することが必要である（例えば、長期の全電源喪失（「ＳＢＯ」）、活発化格納容器の熱除去能力の喪失、設計基準を超える事故）。ウェットウェルまたはドライウェルのどちらかから、原子炉格納容器のそのようなベント、または減圧によって、気体、液体、および／または固体（例えば、微粒子）の形態の放射性物質を放出する可能性がある。
【０００３】
当業者（「ＰＨＯＳＩＴＡ］）なら理解するように、重大な原子力事故の場合、核分裂生成物が原子力発電所の格納容器の中に放出される可能性がある。万一そのような核分裂生成物が格納容器から逃げるとするならば、一般の人々の重大な懸念は、エアロゾル性質の核分裂生成物についてである（２００９年１２月１７日付け、核エアロゾルに関する研究展望報告書によれば、重大な原子力事故の間に原子力発電所から逃げる可能性があるほとんどの放射性物質は、エアロゾルの形態で逃げることになるであろう）。そのような核分裂生成物は、例えば、希ガス（例えば、クリプトン、キセノン）、ハロゲン（例えば、臭素、ヨウ素）、アルカリ金属（例えば、セシウム、カリウム、ルビジウム）、テルル族（例えば、アンチモン、セレン、テルル）、バリウム、ストロンチウム、貴金属（例えば、コバルト、パラジウム、モリブデン、ロジウム、ルテニウム、テクニチウム）、セリウム族（例えば、セリウム、ネプツニウム、プルトニウム）およびランタン族（例えば、アメリシウム、キュリウム、ユーロピウム、ランタン、ネオジム、ノーベリウム、プラセオジム、プロメチウム、サマリウム、イットリウム、ジルコニウム）を含む可能性がある。
【０００４】
２０１１年３月１１日、部分的には福島第１原子力発電所の施設での災害の結果として、原子力規制委員会（「ＮＲＣ」：Ｎｕｃｌｅａｒ  Ｒｅｇｕｌａｔｏｒｙ  Ｃｏｍｍｉｓｓｉｏｎ）は、多くの原子力発電所に対して信頼性のある硬化された格納容器ベントシステム（「ＨＣＶＳ」：ｈａｒｄｅｎｅｄ  ｃｏｎｔａｉｎｍｅｎｔ  ｖｅｎｔｉｎｇ  ｓｙｓｔｅｍｓ）を規定した（ＮＲＣの２０１２年３月１２日付け「信頼性のある硬化された格納容器ベントに関する認可を緩和する命令、ＥＡ−１２−０５０」を参照されたい）。そのようなＨＣＶＳは設計されたフィルタを含むことが必要とされる可能性がある（ＮＲＣの２０１３年６月６日付け「事故状況監視下で運転可能な信頼性のある硬化された格納容器ベントに関する修正認可命令、ＥＡ−１３−１０９」を参照されたい）。
【０００５】
図１は、放射性物質を捕集するための関連する技術であるシステム１００のブロック図である。
【０００６】
図１に示すように、放射性物質（例えば、原子力発電所からの放射性排出物）の流れ１０２（例えば、ガス流）が、システム１００（例えば、「オフガスシステム」）に入ることができる。流れ１０２は、気体、液体、および／または固体の形態の放射性物質を含む可能性がある。
【０００７】
第１の配管１０３の中の流れ１０２が、予熱器１０６、再結合器１０８および第１の凝縮器１１０を含む再結合サブシステム１０４に入ることができる。予熱器１０６は、流れ１０２を加熱して、再結合器１０８内の水素再結合工程の効率を改善することができる。再結合器１０８は、水素再結合工程を格納することができる。第１の凝縮器１１０が流れ１０２を冷却して、同伴水を除去することができる。
【０００８】
流れ１０２は、第２の凝縮器１１２を通過して更に流れ１０２を冷却するために、第１の配管１０３の中に引き続き留まることができる。流れ１０２が第２の凝縮器１１２を出るまでに、流れ１０２は事実上同伴水がない状態である可能性がある（例えば、「乾燥している」）。
【０００９】
第２の配管１１３内の流れ１０２は、次いで第１のバルブ１１４を通過し、第３の配管１１５を経て、木炭吸着ベッド１１６まで進むことができる。木炭吸着ベッド１１６を出た後、第４の配管１１７内の流れ１０２は、第２のバルブ１１８を経てスタック（図示せず）および環境に進むことができる。
【００１０】
図１に示すように、木炭吸着ベッド１１６までの流れ１０２は、第５の配管１１９、第３のバルブ１２０、第６の配管１２１、保護容器１２２、第７の配管１２３、および第４のバルブ１２４を経て、第１のバルブ１１４を迂回することができる（または第１のバルブ１１４と平行に走ることができる）。流れ１０２は、第５の配管１１９、第３のバルブ１２０、第６の配管１２１、保護容器１２２、第８の配管１２５、および第５のバルブ１２６を経て、第１のバルブ１１４および木炭吸着ベッド１１６を迂回することができる（または第１のバルブ１１４および木炭吸着ベッド１１６と平行に走ることができる）。流れ１０２は、第９の配管１２７、第６のバルブ１２８を経て、第１のバルブ１１４、木炭吸着ベッド１１６および／または保護容器１２２を迂回することができる（または第１のバルブ１１４、木炭吸着ベッド１１６および／または保護容器１２２と平行に走ることができる）。システム１００内の流れ１０２のためのこれら、および他の潜在的組合せは、当業者なら理解するであろう。
【００１１】
木炭吸着ベッド１１６は、ヨウ素およびセシウムなどの放射性物質の必要な除染係数（ＤＦ：Ｄｅｃｏｎｔａｍｉｎａｔｉｏｎ  Ｆａｃｔｏｒ）を提供することができる。木炭吸着ベッド１１６を通過する前に流れ１０２から水を除去することによって、ＤＦを改善することができる（例えば、「乾燥」木炭吸着ベッド１１６に入る前に流れ１０２を脱水すること）。流れ１０２が木炭吸着ベッド１１６内で滞留する時間を増加すること（例えば、滞留時間）によって、ＤＦを改善することができる。
【００１２】
システム１００は、例えば、ポンプおよび関連する電力供給源（図示せず）、外部冷却（図示せず）、ならびに木炭吸着ベッド１１６の交換を必要とする点で、能動的システムの実施例である。
【００１３】
図２は、放射性物質を捕集するための関連技術のシステム２００のブロック図である。
【００１４】
図２に示すように、第１０の配管２０４内の流れ２０２は、第１の隔離弁２０６および第２の隔離弁２０８を通過して、圧力容器２１０に進むことができる。圧力容器２１０は、下方高速ベンチュリ部２１２および上方金属繊維フィルタ部２１４を含むことができる。
【００１５】
圧力容器２１０内で、第１０の配管２０４が、第１１の配管２１６と第１２の配管２１８に分かれることができ、両配管とも高速ベンチュリ部２１２に通じることができる。第１１の配管２１６は、冠水したベンチュリスクラバ運転（例えば、プール水２２０の水面下）を支持するように設計可能であり、一方、第１２の配管２１８は、冠水していないベンチュリスクラバ運転（例えば、プール水２２０の水面上）を支持するように設計可能である。
【００１６】
流れ２０２は、複数のベンチュリノズル（図示せず）を通ってプール水２２０に入ることができ、ベンチュリノズルはプール水２２０からの水を流れ２０２内に引き込む排出装置として働くことができる。この引込みにより、流れ２０２からのエアロゾルおよびヨウ素を洗浄することができ、それらをプール水２２０の中に保管することができる。プール水２２０に化学物質を加えて、下方高速ベンチュリ部２１２の性能を改良することができる。プール水２２０の水は格納容器（図示せず）に再循環され得る。
【００１７】
洗浄済み流れ２２２は、上方金属繊維フィルタ部２１４まで通過することができる。上方金属繊維フィルタ部２１４は、液滴分離器（図示せず）、微細フィルタ（図示せず）、およびヨウ素吸着フィルタ（図示せず）を含むことができる。液滴戻り管２２４は、分離された液滴をプール水２２０に戻るよう導くことができる。
【００１８】
洗浄され、フィルタ処理された流れ２２６は、第１３の配管２２８、逆止弁２３０、オリフィス２３２および破裂ダイヤフラム２３４を経て、スタック（図示せず）および環境に進むことができる。
【００１９】
システム２００を用いて高いＤＦを達成するには、問題が提起される可能性がある。例えば、ＤＦは、流れ２０２の速度、プール水２２０の温度、プール水２２０の圧力、プール水２２０内の気体の滞留時間、気体内の泡のサイズ、および／または圧力容器２１０、下方高速ベンチュリ部２１２、および／または上方金属繊維フィルタ部２１４の物理的寸法によって影響を受ける可能性がある。システム２００は更に、初期費用、大きい設置面積、運転費用、維持費用、および／または内部閉塞に関連する問題を提起する可能性がある。加えて、システム２００のＤＦは、圧力容器２１０の設置後に変更することができない。更に、運転中、プール水２２０は、少なくとも週に１回補給水が必要とする可能性があり（製造者によって販売カタログに記載されているように）、その結果、システム２００の運転は、必要な事業者業務から独立していない。
【００２０】
重大な原子力事故中、またはフィルタ処理を必要とする、格納容器から他の任意のベント時に、放射能を施設外へ放出することを軽減するために、気体、液体および／または固体の放射性物質を捕集するための完全に受動的なシステム、方法およびフィルタに対する必要性が存在する。
【００２１】
放射性物質を捕集するための関連技術のシステム、方法、および／またはフィルタは、例えば、Ｇｒｅｅｎ  ｅｔ  ａｌ．の米国特許第５，６８８，４０２号（第’４０２号特許）、ならびにＧａｒｄｎｅｒ  ｅｔ  ａｌ．の米国特許第２０１１／０１３２８１７号Ａ１公報（第’８１７号公報）の中で考察されている。第’４０２号特許および第’８１７号公報の開示の全体が参照により本明細書に組み込まれる。
【先行技術文献】
【特許文献】
【００２２】
【特許文献１】米国特許第５，６８８，４０２号明細書
【発明の概要】
【００２３】
実施例の実施形態は、放射性物質を捕集するためのシステムを提供することができる。実施例の実施形態は、放射性物質を捕集するための方法を提供することができる。実施例の実施形態は、放射性物質を捕集するためのフィルタを提供することができる。
【００２４】
いくつかの実施例の実施形態では、流れから放射性物質を受動的にフィルタ処理するように構成されたシステムが、１つまたは複数の微粒子除去装置と、１つまたは複数の水除去装置と、１つまたは複数の放射性核種除去装置とを備えることができる。１つまたは複数の微粒子除去装置の少なくとも１つが、流れから放射性物質の微粒子を機械的に除去することができる。１つまたは複数の水除去装置の少なくとも１つが、流れから水を機械的に除去することができる。１つまたは複数の放射性核種除去装置の少なくとも１つが、設計されたろ過材を使用して、流れから放射性エアロゾル、反応性放射性ガス、または放射性エアロゾルおよび反応性放射性ガスを除去することができる。
【００２５】
いくつかの実施例の実施形態では、放射性物質が、１つまたは複数の反応性ガス状の放射性物質、液体放射性物質、および微粒子放射性物質を含むことができる。
【００２６】
いくつかの実施例の実施形態では、１つまたは複数の微粒子除去装置が、流れの方向に、１つまたは複数の水除去装置よりも前に配置されることができる。
【００２７】
いくつかの実施例の実施形態では、１つまたは複数の微粒子除去装置が、流れの方向に、１つまたは複数の放射性核種除去装置よりも前に配置されることができる。
【００２８】
いくつかの実施例の実施形態では、１つまたは複数の水除去装置が、流れの方向に、１つまたは複数の放射性核種除去装置よりも前に配置されることができる。
【００２９】
いくつかの実施例の実施形態では、１つまたは複数の微粒子除去装置の少なくとも１つが、重力沈下を使用して、流れから放射性物質の微粒子を機械的に除去することができる。
【００３０】
いくつかの実施例の実施形態では、１つまたは複数の水除去装置の少なくとも１つの中で、流れを混ぜることによって、流れの中の熱泳動力を低減することができる。
【００３１】
いくつかの実施例の実施形態では、１つまたは複数の水除去装置の少なくとも１つの中で、流れからの熱遮断によって、流れの中の熱泳動力を低減することができる。
【００３２】
いくつかの実施例の実施形態では、１つまたは複数の放射性核種除去装置の少なくとも１つの中で、流れを混ぜることによって、流れの中の熱泳動力を低減することができる。
【００３３】
いくつかの実施例の実施形態では、１つまたは複数の放射性核種除去装置の少なくとも１つの中で、流れからの熱遮断によって、流れの中の熱泳動力を低減することによって、捕集を改良することができる。
【００３４】
いくつかの実施例の実施形態では、ろ過材が、１つまたは複数の活性アルミナ（Ａｌ2Ｏ3）、活性炭、有機ワックス、およびプラスチックを含むことができる。
【００３５】
いくつかの実施例の実施形態では、ろ過材が、１つまたは複数の高性能（ＨＥＰＡ：ｈｉｇｈ−ｅｆｆｉｃｉｅｎｃｙ  ｐａｒｔｉｃｕｌａｔｅ  ａｉｒ）フィルタを含むことができる。
【００３６】
いくつかの実施例の実施形態では、流れから放射性物質を受動的にフィルタ処理するための方法が、流れから放射性物質の微粒子を機械的に除去するステップ、流れから水を機械的に除去するステップ、および／またはろ過材を使用して、流れから放射性エアロゾル、反応性放射性ガス、または放射性エアロゾルおよび反応性放射性ガスを除去するステップを含むことができる。
【００３７】
いくつかの実施例の実施形態では、流れから放射性物質の微粒子を機械的に除去するステップが、流れから水を機械的に除去するステップに先行することができる。
【００３８】
いくつかの実施例の実施形態では、流れから放射性物質の微粒子を機械的に除去するステップが、ろ過材を使用して、流れから放射性エアロゾル、反応性放射性ガス、または放射性エアロゾルおよび反応性放射性ガスを除去するステップに先行することができる。
【００３９】
いくつかの実施例の実施形態では、流れから水を機械的に除去するステップが、ろ過材を使用して、流れから放射性エアロゾル、反応性放射性ガス、または放射性エアロゾルおよび反応性放射性ガスを除去するステップに先行することができる。
【００４０】
いくつかの実施例の実施形態では、フィルタが、入口および出口を含む本体を備えることができる。本体が、ろ過材を格納するように構成され得る。本体が、ガス爆発からの圧力を収容するように更に構成され得る。本体が、入口で圧力が増加する場合、格納されたろ過材を出口に向かって移動させることができるように更に構成され得る。
【００４１】
いくつかの実施例の実施形態では、入口で圧力が増加する場合、格納されたろ過材が出口に向かって移動することによって、入口での圧力の増加に関連するエネルギーを吸収することができる。
【００４２】
いくつかの実施例の実施形態では、入口で圧力が増加する場合、格納されたろ過材が出口に向かって移動することによって、入口での圧力の増加に関連する出口での圧力増加を低減することができる。
【００４３】
いくつかの実施例の実施形態では、入口で圧力が増加する場合、格納されたろ過材の少なくとも部分がフィルタを出ることを可能にするが、同時に格納されたろ過材の少なくとも部分を環境に放出することを防止するように、本体が更に構成され得る。
【００４４】
いくつかの実施例の実施形態では、フィルタが、第２の出口を更に備えることができる。入口で圧力が増加する場合、格納されたろ過材の少なくとも部分が第２の出口を経てフィルタを出ることを可能にするが、同時に格納されたろ過材の少なくとも部分を環境に放出することを防止するように、本体が更に構成され得る。
【００４５】
上記および／または他の態様および利点が、添付の図面と併せて考察されると、実施例の実施形態の以下の詳細な説明からより明らかになり、より容易に理解されるであろう。
【図面の簡単な説明】
【００４６】
【図１】放射性物質を捕集するための関連技術のシステムのブロック図である。
【図２】放射性物質を捕集するための関連技術のシステムのブロック図である。
【図３】いくつかの実施例の実施形態による、放射性物質を捕集するためのシステムのブロック図である。
【図４】いくつかの実施例の実施形態による、放射性物質を捕集するための方法を図示する流れ図である。
【図５】いくつかの実施例の実施形態によるフィルタの横断面図である。
【図６】いくつかの実施例の実施形態による、図５のフィルタの底面図である。
【図７】いくつかの実施例の実施形態による、放射性物質を捕集するためのシステムの横断面図である。
【図８Ａ】いくつかの実施例の実施形態による、放射性物質を捕集するためのシステムの初期運転モードの図である。
【図８Ｂ】いくつかの実施例の実施形態による、放射性物質を捕集するためのシステムの初期運転モードの図である。
【図８Ｃ】いくつかの実施例の実施形態による、放射性物質を捕集するためのシステムの初期運転モードの図である。
【発明を実施するための形態】
【００４７】
次いで、実施例の実施形態は、添付の図面を参照してより完全に説明される。しかし、実施形態は多くの様々な形態で実施可能であり、本明細書の中で記載される実施形態に限定されると考えるべきではない。むしろ、本開示が完全で、完璧であり、かつその範囲を十分に当業者に伝えるようにこれらの実施例の実施形態が提供される。図面の中で、層および領域の厚さは見やすいように拡大されている。
【００４８】
ある要素が、他の要素に対して、「上に」、「結合されている」、「電気的に接続されている」、または「連結されている」と言及される場合、その要素は、他方の構成要素の直接上にある、結合される、電気的に接続される、または連結されることができ、または介在する構成要素が存在する可能性があることを理解されたい。対照的に、ある構成要素が、他の要素に対して、「直接上に」、「直接結合されている」、「直接電気的に接続されている」、または「直接連結されている」と言及される場合、介在する構成要素が存在しない。本明細書で使用される場合、「および／または」という用語は、関連する列挙された項目の１つまたは複数の任意の組合せ、およびすべての組合せを含む。
【００４９】
第１の、第２の、第３のなどの用語は、本明細書で様々な要素、構成要素、領域、層、および／または部分を説明するために使用される場合があるが、これらの要素、構成要素、領域、層、および／または部分は、これらの用語によって限定されるべきではないということを理解されたい。これらの用語は、ある要素、構成要素、領域、層、および／または部分を他の要素、構成要素、領域、層、および／または部分から区別するために使用されるに過ぎない。例えば、第１の要素、構成要素、領域、層、および／または部分は、実施例の実施形態の教示から逸脱せずに、第２の要素、構成要素、領域、層、および／または部分と呼ぶことができる。
【００５０】
「下に」、「より下に」、「下方の」、「より上の」、「上方の」などの空間的に相対的な用語は、図面に示されるように、１つの構成要素および／または特徴の他の構成要素および／または特徴に対する関係、または他方の構成要素および／または特徴に対する関係を説明するために表現を容易にするために本明細書で使用される場合がある。空間的に相対的な用語は、図面に示された配向に加えて、使用および運転の際に装置の異なる配向を包含するように意図されることを理解されたい。
【００５１】
本明細書で使用される用語は、特定の実施例の実施形態のみを説明する目的で使用され、実施例の実施形態を限定することを意図されるのではない。本明細書で使用される場合、文脈で明確にそうではないと示さない限り、単数形「１つの（ａ）」、「１つの（ａｎ）」および「その（ｔｈｅ）」は、複数形もまた含むように意図される。更に、「備える（ｃｏｍｐｒｉｓｅｓ）」、「備えている（ｃｏｍｐｒｉｓｉｎｇ）」、「含む（ｉｎｃｌｕｄｅｓ）」および／または「含んでいる（ｉｎｃｌｕｄｉｎｇ）」という用語は、本明細書で使用される場合、述べた特徴、完全体、ステップ、運転、要素、および／または構成要素の存在を特定するが、１つまたは複数の他の特徴、完全体、ステップ、運転、要素、構成要素および／またはそのグループの存在をまたは追加を排除するのではないことを更に理解されたい。
【００５２】
そうではないと定義しない限り、本明細書で使用されるすべての用語（技術用語および科学的用語を含む）は、実施例の実施形態が属する分野の当業者の１人によって一般的に理解される意味と同じ意味を有する。一般的に使用される辞書の中に定義される用語などの用語は、関連する技術の文脈の中の意味と一貫する意味を有するものと解釈されるべきであり、本明細書に明確にそのように定義しない限り、理想的な、または過度に形式的な意味で解釈されるべきではないことを更に理解されたい。
【００５３】
「熱拡散（ｔｈｅｒｍｏｐｈｏｒｅｓｉｓ）」（熱拡散（ｔｈｅｒｍｏｄｉｆｆｕｓｉｏｎ）としても公知である）という用語は、異なる種類の微粒子が温度勾配の力に対して異なる反応を表す、移動微粒子の混合物の中で観察される現象を意味する。この熱拡散現象によって、温度勾配が存在するガスの中で浮遊する、または流れる小さい放射性微粒子は、ガス流とは異なって移動する可能性がある。
【００５４】
「熱拡散力」という用語は、熱拡散現象に関連する力を意味する。例えば、ガス流内の小さい微粒子は、より高い温度によって獲得したより高い運動エネルギーのために、高温供給源から離れて速い流れを生成することができる。拡散力は、１ミリメータまたはそれ未満の規模で観察され得る。
【００５５】
熱拡散は、微粒子がより熱い領域からより冷たい領域に移動する場合、「正」であると考えられ、その逆が真実の場合、「負」であると考えることができる。混合物の中のより大きく／より量の多い化学種は、典型的に、正の拡散挙動を表すが、一方、より小さく／より量の少ない化学種は、負の拡散挙動を表す。サイズおよび／または量、温度勾配の峻度、化学種の熱伝導率、化学種の熱吸収、および他の要因が熱拡散の中で役割を果たす。熱拡散力は、異なる微粒子の種類が温度勾配の力の下で異なって移動する原因になり、関連する力が、微粒子の種類が混合された後、微粒子の種類を分離するために使用可能であり、またはそれらが既に分離されている場合、混合することが防止可能である。
【００５６】
次いで、添付の図面に図示されている実施例の実施形態を参照すると、同じ符号が全体を通して同じ構成要素を表すことができる。
【００５７】
図３は、いくつかの実施例の実施形態による、放射性物質を捕集するためのシステム３００のブロック図である。システム３００は、受動システムであり、重大な原子力事故の後、わずか数日ではなく数か月で測定され得る発電所の安定性が事業者によって取り戻されるまで、必要な事業者業務から独立して作動することができる。システム３００は、例えば、ベントされた放射性ガスを脱水すること、および脱水され、ベントされた放射性ガスにドライ捕集を使用することによって、関連技術のシステムの欠陥を克服することができる。
【００５８】
図３に示すように、第１４の配管３０４内の流れ３０２は、第１の隔離弁３０６および第２の隔離弁３０８を通過し、微粒子除去装置３１０に進むことができる。微粒子除去装置３１０から、流れ３１２は、第１５の配管３１４を経て、水除去装置３１６に進むことができる。水除去装置３１６から、流れ３１８は、第１６の配管３２０を経て、放射性核種除去装置３２２に進むことができる。放射性核種除去装置３２２から、流れ３２４は、第１７の配管３２６を経て、スタック（図示せず）および環境に進むことができる。
【００５９】
図３の微粒子除去装置３１０は、１つまたは複数の微粒子除去装置３１０を備えることができる。図３の水除去装置３１６は、１つまたは複数の水除去装置３１６を備えることができる。図３の放射性核種除去装置３２２は、１つまたは複数の放射性核種除去装置３２２を備えることができる。
【００６０】
流れの方向に（例えば、流れ３０２、流れ３１２、流れ３１８）、１つまたは複数の微粒子除去装置３１０が、１つまたは複数の水除去装置３１６より前に配置され得る。流れ（例えば、流れ３０２、流れ３１２、流れ３１８）の方向に、１つまたは複数の微粒子除去装置３１０が、１つまたは複数の放射性核種除去装置３２２より前に配置され得る。流れ（例えば、流れ３０２、流れ３１２、流れ３１８）の方向に、１つまたは複数の水除去装置３１６が、１つまたは複数の放射性核種除去装置３２２より前に配置され得る。
【００６１】
図３のシステム３００は、１つまたは複数の微粒子除去装置３１０、１つまたは複数の水除去装置３１６、および／または１つまたは複数の放射性核種除去装置３２２を備えることができる。１つまたは複数の微粒子除去装置３１０、１つまたは複数の水除去装置３１６、および１つまたは複数の放射性核種除去装置３２２は、図３に示すように、順序通りに配置可能であり、または異なる順序で配置可能である。例えば、第１の微粒子除去装置３１０の後に、第１の水除去装置３１６、第２の微粒子除去装置３１０、第２の水除去装置３１６、ならびに第１の放射性核種除去装置３２２、第２の放射性核種除去装置３２２および第３の放射性核種除去装置３２２を続いて配置することができる。したがって、異なる配置を使用して、システム３００は、異なる量のエアロゾル、異なるサイズのエアロゾルの拡散、および／または異なる種類のエアロゾル（例えば、吸湿性）を処理するように設計され得る。
【００６２】
図３の１つまたは複数の微粒子除去装置３１０は、例えば、流れ３０２から機械的に微粒子を除去することができる。そのような微粒子には、例えば、放射性物質の微粒子、および／または取り込まれた放射性物質によって汚染された非放射性物質が含まれる場合がある。図３の１つまたは複数の微粒子除去装置３１０は、例えば、重力沈下を使用して、流れ３０２から機械的に微粒子を除去することができる。１つまたは複数の微粒子除去装置３１０は、流れ３０２から実質的な量の放射性物質を除去することができる。
【００６３】
図３の１つまたは複数の水除去装置３１６は、例えば、流れ３１２から機械的に微粒子を除去することができる。１つまたは複数の水除去装置３１６の中で、流れ３１２を混ぜることによって、流れ３１２内の熱泳動力を低減することができる。１つまたは複数の水除去装置３１６の中で、流れ３１２からの熱遮断によって、流れ３１２内の熱泳動力を低減することができる。１つまたは複数の水除去装置３１６は、流れ３１２から実質的な量の放射性物質を除去することができる。
【００６４】
図３の１つまたは複数の放射性核種除去装置３２２は、例えば、流れ３１８から残りの放射性物質をフィルタ処理することができる。そのような残りの放射性物質には、例えば、放射性エアロゾル（例えば、微細エアロゾル）および／または反応性放射性ガス（例えば、反応性ガス放射性核種）が含まれる可能性がある。１つまたは複数の放射性核種除去装置３２２の中で、流れ３１８を混ぜることによって、流れ３１８内の熱泳動力を低減することができる。１つまたは複数の放射性核種除去装置３２２の中で、流れ３１８からの熱遮断によって、流れ３１８内の熱泳動力を低減することによって、捕集を改良することができる。１つまたは複数の放射性核種除去装置３２２は、流れ３１８から実質的な量の放射性物質を除去することができる。
【００６５】
１つまたは複数の放射性核種除去装置３２２は、設計されたろ過材を備えることができる。そのようなろ過材は、活性アルミナ（Ａｌ2Ｏ3）、活性炭、有機ワックス、およびプラスチック（例えば、リサイクルされたプラスチック製品）、樹脂、砂、シリカビーズ、石、および他の捕集薬剤の１つまたは複数を含むことができる。そのような設計されたろ過材は、例えば、活性アルミナおよび活性炭の二元混合物を含むことができる。そのような設計されたろ過材は、例えば、１つまたは複数のＨＥＰＡフィルタを含むことができる。
【００６６】
「すべてのフィルタはフィルタ間隙を有する」（例えば、特定の大きさのターゲット材料のためのより低い除去効率）と言われてきた。１つまたは複数の放射性核種除去装置３２２は、異なるフィルタ間隙を有するフィルタを連続して配置することによって、この「フィルタ間隙」問題を最小にすることができる。したがって、１つまたは複数の放射性核種除去装置３２２は、「調製」（例えば、特定のフィルタ間隙によってフィルタを選択すること）および／または「積み重ね」（例えば、異なるフィルタ間隙を有する調整されたフィルタを連続して配置し、「フィルタ間隙」問題を最小にすること）可能である。一般的に、この調節および／または積み重ね手法は、クリプトンおよび／またはキセノンなどの希ガスには効果的ではない。
【００６７】
図４は、いくつかの実施例の実施形態によって、放射性物質を捕集するための方法を図示する流れ図である。
【００６８】
方法は、重大な原子力事故の後、わずか数日ではなく数か月で測定され得る、発電所の安定性が事業者によって取り戻されるまで、必要な事業者業務から独立して運転することができる受動的方法であることができる。方法は、例えば、ベントされた放射性ガスを脱水すること、および脱水され、ベントされた放射性ガスにドライ捕集を使用することによって、関連技術のシステムの欠陥を克服することができる。
【００６９】
図４に示すように、方法は、流れから放射性物質の微粒子を機械的に除去するステップ（Ｓ４００）と、流れから水を機械的に除去するステップ（Ｓ４１０）と、ろ過材を使用して、流れから放射性エアロゾル、反応性放射性ガス、または放射性エアロゾルおよび反応性放射性ガスを除去するステップ（Ｓ４２０）とを含むことができる。続いて、流れはスタックおよび環境に進むことができる。
【００７０】
流れから放射性物質の微粒子を機械的に除去するステップ（Ｓ４００）は、流れから放射性物質の実質的な量を除去することができる。流れから水を機械的に除去するステップ（Ｓ４１０）は、流れから放射性物質の実質的な量を除去することができる。ろ過材を使用して、流れから放射性エアロゾル、反応性放射性ガス、または放射性エアロゾルおよび反応性放射性ガスを除去するステップ（Ｓ４２０）は、流れから放射性物質の実質的な量を除去することができる。
【００７１】
流れから放射性物質の微粒子を機械的に除去するステップ（Ｓ４００）は、流れから水を機械的に除去するステップ（Ｓ４１０）に先行することができる。流れから放射性物質の微粒子を機械的に除去するステップ（Ｓ４００）は、ろ過材を使用して、流れから放射性エアロゾル、反応性放射性ガス、または放射性エアロゾルおよび反応性放射性ガスを除去するステップ（Ｓ４２０）に先行することができる。流れから水を機械的に除去するステップ（Ｓ４１０）は、ろ過材を使用して、流れから放射性エアロゾル、反応性放射性ガス、または放射性エアロゾルおよび反応性放射性ガスを除去するステップ（Ｓ４２０）に先行することができる。
【００７２】
図４に示すように、方法は、流れから放射性物質の微粒子を機械的に除去するステップ（Ｓ４００）と、流れから水を機械的に除去するステップ（Ｓ４１０）と、ろ過材を使用して、流れから放射性エアロゾル、反応性放射性ガス、または放射性エアロゾルおよび反応性放射性ガスを除去するステップ（Ｓ４２０）とをその順番に含むことができる。しかし、流れから放射性物質の微粒子を機械的に除去するステップ（Ｓ４００）と、流れから水を機械的に除去するステップ（Ｓ４１０）と、ろ過材を使用して、流れから放射性エアロゾル、反応性放射性ガス、または放射性エアロゾルおよび反応性放射性ガスを除去するステップ（Ｓ４２０）とは、異なる順番に配置することができる。例えば、流れから水を機械的に除去するステップ（Ｓ４１０）の後に、流れから放射性物質の微粒子を機械的に除去するステップ（Ｓ４００）、次いで、ろ過材を使用して、流れから放射性エアロゾル、反応性放射性ガス、または放射性エアロゾルおよび反応性放射性ガスを除去するステップ（Ｓ４２０）を続いて実施することができる。
【００７３】
加えて、流れから放射性物質の微粒子を機械的に除去するステップ（Ｓ４００）と、流れから水を機械的に除去するステップ（Ｓ４１０）と、ろ過材を使用して、流れから放射性エアロゾル、反応性放射性ガス、または放射性エアロゾルおよび反応性放射性ガスを除去するステップ（Ｓ４２０）との１つまたは複数を繰り返すことができる。例えば、流れから放射性物質の微粒子を機械的に除去するステップ（Ｓ４００）の後に、流れから水を機械的に除去するステップ（Ｓ４１０）、流れから放射性物質の微粒子を機械的に除去するステップ（２回目）、流れから水を機械的に除去するステップ（２回目）、次いで、ろ過材を使用して、流れから放射性エアロゾル、反応性放射性ガス、または放射性エアロゾルおよび反応性放射性ガスを除去するステップ（Ｓ４２０）を続いて実施することができる。
【００７４】
流れから水を機械的に除去するステップ（Ｓ４１０）の中で、流れを混ぜることによって、流れの中の熱泳動力を低減することができる。流れから水を機械的に除去するステップ（Ｓ４１０）の中では、流れからの熱遮断によって、流れの中の熱泳動力を低減することができる。
【００７５】
ろ過材を使用して、流れから放射性エアロゾル、反応性放射性ガス、または放射性エアロゾルおよび反応性放射性ガスを除去するステップ（Ｓ４２０）の中で、流れを混ぜることによって、流れの中の熱泳動力を低減することができる。ろ過材を使用して、流れから放射性エアロゾル、反応性放射性ガス、または放射性エアロゾルおよび反応性放射性ガスを除去するステップ（Ｓ４２０）では、流れからの熱遮断によって、流れの中の熱泳動力を低減することによって、捕集を改良することができる。
【００７６】
ろ過材を使用して、流れから放射性エアロゾル、反応性放射性ガス、または放射性エアロゾルおよび反応性放射性ガスを除去するステップ（Ｓ４２０）の中で、ろ過材は、例えば、活性アルミナ、活性炭、有機ワックス、およびプラスチック（例えば、リサイクルされたプラスチック製品）、樹脂、砂、シリカビーズ、石、および他の捕集薬剤の１つまたは複数を含むことができる。ろ過材は、例えば、活性アルミナおよび活性炭の二元混合物を含むことができる。ろ過材は、例えば、１つまたは複数のＨＥＰＡフィルタを含むことができる。
【００７７】
図５は、いくつかの実施例の実施形態による、フィルタ５００の横断面図である。
【００７８】
フィルタ５００は、本体５０２、第１の入口５０４、多孔板５０６、排出管５０８、第１の出口５１０、第２の出口５１２、第３の出口５１４、および／またはバイパスライン５１６を備えることができる。設置される場合、フィルタ５００は、第１の入口５０４が底部にあり、第１の出口５１０が頂部にあるように配向され得る。そのような配向では、ベントされた放射性ガスが、第１の入口５０４に入ることができ、第１の出口５１０に向かって上方に流れることができる。
【００７９】
本体５０２は、多孔板５０６の第１の側面上に第１の部分５１８を備え、多孔板５０６の第２の側面上に第２の部分５２０を備えることができる。本体５０２は、第２の部分５２０の中にろ過材５２２を格納するように構成可能である。本体５０２は、格納されたろ過材５２２が第１の出口５１０を経てフィルタ５００を出ることができるように構成可能である。本体５０２は、格納されたろ過材５２２が第１の出口５１０のみを経てフィルタ５００を出ることができるように構成可能である。
【００８０】
本体５０２は、第１のフランジ５２４および／または第２のフランジ５２６を備えることができる。第１のフランジ５２４および／または第２のフランジ５２６は、複数の本体５０２が連続して積み重ねられ、および／または一体に固定される（例えば、溶接、ナットおよびボルトなどによって）ことを可能にする。そのような積み重ねによって、上記に考察する「フィルタ間隙」問題を最小にすることができる。そのような積み重ねは、ＤＦ性能を損失することなく、および／または追加の本体５０２の再適格性確認を必要とせずに、本体５０２がほとんど任意の原子炉型、ユニットサイズ、格納容器の型、または他の設計パラメータに適合可能なようにすることができる。
【００８１】
本体５０２は、例えば、多孔板５０６と本体５０２との間の第２の部分５２０の中に配置された収集トレイ５２８を備えることができる。収集トレイ５２８は、第３の出口５１４に作動可能に結合され得る。
【００８２】
ベントされた放射性ガスが第１の入口５０４に入る場合、放射性ガスは、第１の部分５１８を通って第１の出口５１０に向かって上方に流れることができる。ベントされた放射性ガスが上方に流れるにしたがって、放射性ガスは、多孔板５０６と接触することができる。多孔板５０６は、脱水装置および／または放射性物質を捕集するための装置として機能することができ、ベントされた放射性ガスの中の同伴液体が凝縮することを可能にする表面を提供し、および／または収集トレイ５２８へ、第１のスクリーン５３０を通って、第３の出口５１４へ流れる重力流を提供することができる。多孔板５０６は先が細い形状にされて（例えば、コーン形状）、脱水、凝縮、および／または重力流を促進することができる。多孔板５０６は、熱泳動沈着によって、部分的に脱水装置として機能することができる。
【００８３】
多孔板５０６を通過した後、ベントされた放射性ガスは上方に流れ続け、ろ過材５２２に入ることができる。ろ過材５２２は、脱水装置および／または放射性物質を捕集するための装置として機能することができる。ろ過材５２２は、例えば、活性アルミナ、活性炭、有機ワックス、およびプラスチック（例えば、リサイクルされたプラスチック製品）、樹脂、砂、シリカビーズ、石、および他の捕集薬剤の１つまたは複数を含むことができる。ろ過材５２２は、例えば、活性アルミナおよび活性炭の二元混合物を含むことができる。ろ過材５２２は、例えば、１つまたは複数のＨＥＰＡフィルタを含むことができる。ろ過材５２２は、ベントされた放射性ガスの中の同伴液体を凝縮することができる。液体が凝縮し、および／または十分な大きさの液滴に融合する場合、液滴は、収集トレイ５２８へ、第１のスクリーン５３０を通って、第３の出口５１４へ重力流を提供することができる。ろ過材５２２は、熱泳動沈着によって、部分的に脱水装置として機能することができる。
【００８４】
ろ過材５２２を通過した後、ベントされた放射性ガスは上方に流れ続け、第１の出口５１０を経てフィルタ５００を出ることができる。
【００８５】
本体５０２を通る低い流れは、フィルタ５００のＤＦを増加させることができる。特に、複数の本体５０２が連続して積み重ねられている場合、複数の本体５０２を通る低い流れが、積み重ねたフィルタ５００のＤＦを増加させることができる。
【００８６】
寒い気候では、水の氷点以下で、本体５０２を通る低い流れによって、多孔板５０６の表面に重大な凝縮をもたらす可能性がある。温度によるこの凝縮は、多孔板５０６上に氷を形成することによって流れの閉塞をもたらす原因になる可能性がある。バイパスライン５１６は、この問題の解決策を提供することができる。
【００８７】
上記に考察するように、ベントされた放射性ガスが第１の入口５０４に入る場合、放射性ガスは、第１の部分５１８を通って第１の出口５１０に向かって上方に流れることができる。いくらかのベントされた放射性ガスは、更に第２のスクリーン５３２および第２の入口５３４を通って、バイパスライン５１６の中に、および上方へ破裂ディスク５３６まで流れることができる。第２のスクリーン５３２は、例えば、多孔板５０６の開口よりも１００倍大きい開口を有することができて、第２のスクリーン５３２の閉塞を低減、または防止することができる。多孔板５０６の流れの閉塞が、第２の部分５２０に対する第１の部分５１８の圧力を十分に高める場合（例えば、多孔板５０６およびろ過材５２２に亘る圧力差）、そのとき破裂ディスク５３６は破裂し、ベントされた放射性ガスが多孔板５０６およびろ過材５２２を迂回して、バイパスライン５１６および第４の出口５３８を経て、第２の部分５２０に達することができる。バイパスライン５１６は、重大な面の粗さ、および／または多孔性（例えば、内部のふるい目）を有することができて、拡散による放射性核種沈着に貢献することができる。
【００８８】
複数の本体５０２が連続して積み重ねられている場合、ベントされた放射性ガスは、更に放射性物質を捕集するためにスタックの中の次の本体５０２に進むことができる。
【００８９】
設計基準を超える事故中に、フィルタ５００を通るベントされた放射性ガスの高流量に対する潜在能力によって、フィルタ５００は２つ以上のバイパスライン５１６を備えることができる。２つ以上のバイパスライン５１６は、例えば、フィルタ５００の周りに円周方向に配置可能である。
【００９０】
設置される場合、フィルタ５００は、格納されたろ過材５２２が重力によって定位置に保持されるように配向され得る。本体５０２は、第１の入口５０４で圧力が増加する場合、格納されたろ過材５２２が第１の出口５１０に向かって移動することを可能にするように構成され得る。この移動は、格納されたろ過材５２２が、第１の入口５０４での圧力増加に関連する、第１の出口５１０での圧力増加を低減することに役立つようにすることができる。この移動は、遅いまたは速いに関わらず、格納されたろ過材５２２が第１の入口５０４での圧力増加を含むことに役立つようにすることができる。この移動は、遅いまたは速いに関わらず、格納されたろ過材５２２が、第１の入口５０４での圧力増加に関連するエネルギーを吸収することに役立つようにすることができる。この移動は、格納されたろ過材５２２が、第１の入口５０４での圧力増加を含むことに役立ち、および／または例えば、ガス爆発による、第１の入口５０４での圧力増加に関連するエネルギーを吸収することに役立つようにすることができる。
【００９１】
本体５０２は、第１の入口５０４で圧力が増加する場合、格納されたろ過材５２２の少なくとも部分が第１の出口５１０を経てフィルタ５００を出ることができるが、一方、格納されたろ過材５２２の少なくとも部分が環境に放出されることを防止するように構成可能である。このように格納されたろ過材５２２の少なくとも部分が出ることによって、格納されたろ過材５２２が第１の入口５０４での圧力増加を含むことに役立ち、および／または例えば、ガス爆発による、第１の入口５０４での圧力増加に関連するエネルギーを吸収することに役立つようにすることができる。
【００９２】
複数の本体５０２が連続して積み重ねられている場合、本体５０２は、先行するフィルタ（図示せず）の格納されたろ過材の少なくとも部分が、第１の入口５０４で圧力が増加する場合、排出管５０８および第２の出口５１２を経てフィルタ５００を出ることができるが、一方、前のフィルタの格納されたろ過材の少なくとも部分が環境に放出されることを防止するように構成可能である。例えば、ガス爆発によって、先行するフィルタの格納されたろ過材の少なくとも部分がそのフィルタを出て、本体５０２の第１の部分５１８に入る原因になる可能性がある。
【００９３】
先行するフィルタの格納されたろ過材の少なくとも部分が、多孔板５０６を通過しない可能性がある。しかし、多孔板５０６の先が細くなった形状によって、先行するフィルタの格納されたろ過材の少なくとも部分を多孔板５０６のスロート５４０に向かって、排出管５０８内に、更に第２の出口５１２へと導く助けをすることができる。
【００９４】
第３の出口５１４からの水は、第１のマニホールド５４２の中に流れることができる。先行するフィルタの格納されたろ過材の少なくとも部分が、第２の出口５１２から第２のマニホールド５４４内に出ることができる。
【００９５】
いくつかの実施例の実施形態によれば、ＨＥＰＡフィルタは、多孔板５０６の第１の部分５１８の側面上、第２のスクリーン５３２の第１の部分５１８の側面上、および／またはスロート５４０の第１の部分５１８の側面上に配置可能である（多孔板５０６の開口は、例えば、１００〜１０，０００の係数によってサイズを増加することができて、ＨＥＰＡフィルタのこのような使用を促進する）。そのようなＨＥＰＡフィルタは、直径０．３マイクロメートル（μｍ）以上の大気中の微粒子の少なくとも９９．９７％を除去することができる。空気流または圧力降下に対するＨＥＰＡフィルタの最小抵抗力は、通常の流量で約３００Ｐａに特定される。ベントされた放射性ガスの流量が高すぎる、および／または圧力降下が３００Ｐａを超える場合、そのときＨＥＰＡフィルタは、裂けて、より高い流量のベントされた放射性ガスを許容することができる。これによって、ＨＥＰＡフィルタによる流れの閉塞を防止することができ、および／またはベントされた放射性ガスが次のフィルタ５００に流れることを可能にする。
【００９６】
いくつかの実施例の実施形態によれば、有機放射性エアロゾル（例えば、放射性セシウムまたはヨウ素を塗料または電線絶縁体などの有機物質と反応させることによって形成される）は、多孔板５０６の第２の部分５２０の側面上に被覆される標準のワックスまたは他の適合した有機化合物を使用することによって、捕集可能である（多孔板５０６の開口は、例えば、１００〜１０，０００の係数によってサイズを増加することができて、標準のワックスまたは他の適合した有機化合物のこのような使用を促進する）。暑い夏の数か月の作動期間中、依然として固体の状態であるために、標準のワックスまたは他の適合した有機化合物の融点は５０℃を超えることができる。
【００９７】
標準のワックスまたは他の適合した有機化合物は、放射性有機物質が拡散することができる「可溶性媒体」を提供することができ、環境への放出を防止することができる。ベントされた放射性ガスの流量が高すぎる、および／または圧力降下が３００Ｐａを超える場合、そのとき標準のワックスまたは他の適合した有機化合物は、裂けて、より高い流量のベントされた放射性ガスを許容することができる。そのような引き裂きによって、放射性有機物質が拡散することができる標準のワックスまたは他の適合した有機化合物の表面積を増加させることができる。
【００９８】
標準のワックスまたは他の適合した有機化合物に加えて、ろ過材５２２が、樹脂ビーズおよび／または細断プラスチック材料など、有機物質であることができ、やはり放射性有機物質が拡散することができる「可溶性媒体」を提供することができる。
【００９９】
図６は、いくつかの実施例の実施形態によるフィルタ５００の底面図である。
【０１００】
図６は、本体５０２、バイパスライン５１６、収集トレイ５２８、第１のスクリーン５３０、第２のスクリーン５３２、スロート５４０、第１のマニホールド５４２および第２のマニホールド５４４を図示する。
【０１０１】
図７は、いくつかの実施例の実施形態による、放射性物質を捕集するためのシステム７００の横断面図である。
【０１０２】
システム７００は、原子力発電所で現在既存の硬化されたベント配管に直接交換することができる。別法として、システム７００は、既存の硬化されたベント配管の近傍に、または平行して配置可能であり、その結果、運転要求に応じて、ガス流をそらせて現在既存の硬化されたベント配管、システム７００、またはその両方に流れ込ませることができるようになる。
【０１０３】
図７に示すように、原子炉建屋７０２は、斜面７０４上に建つことができる。やはり斜面７０４上に建つことができる硬化されたベント配管７０６が、原子炉建屋７０２に、例えば、標準的管支持装置によって取り付け可能である。硬化されたベント配管７０６は、免震構造体７１０上の基部７０８からベント口７１２まで上方に伸びることができる。
【０１０４】
基部７０８は、免震構造体７１０に封止され、および／または取り付けられることができ、システム７００の構造的統合性を保証することができる。基部７０８は、水および固体を収集することができる。基部７０８は、逆止弁７１４を通って硬化されたベント配管７０６および／またはベント口７１２に圧力を解放することができる。逆止弁７１４は、硬化されたベント配管７０６の上方部分から基部７０８に水を排水することができる。
【０１０５】
図７に示すように、システム７００は、微粒子除去部分７１６、水除去部分７１８、および／または放射性核種除去部分７２０を備えることができる。微粒子除去部分７１６、水除去部分７１８、および／または放射性核種除去部分７２０は、例えば、図７に示すように順番に、または何らかの他の順番で積み重ねることができる。
【０１０６】
図７に示すように、システム７００は、１つまたは複数の微粒子除去装置７２２、１つまたは複数の水除去装置７２４、および／または１つまたは複数の放射性核種除去装置７２６を備えることができる。１つまたは複数の微粒子除去装置７２２、１つまたは複数の水除去装置７２４、および／または１つまたは複数の放射性核種除去装置７２６は、例えば、図７に示すように順番に、または何らかの他の順番で積み重ねることができる。特に、１つまたは複数の微粒子除去装置７２２は、１つまたは複数の水除去装置７２４と混合することができ、１つまたは複数の微粒子除去装置７２２は、１つまたは複数の放射性核種除去装置７２６と混合することができ、１つまたは複数の水除去装置７２４は、１つまたは複数の放射性核種除去装置７２６と混合することができる。
【０１０７】
微粒子除去部分７１６、水除去部分７１８、および／または放射性核種除去部分７２０の重量、あるいは１つまたは複数の微粒子除去装置７２２、１つまたは複数の水除去装置７２４、および／または１つまたは複数の放射性核種除去装置７２６の重量によって、システム７００は、ガス流が上方に流れることを可能にし、および／またはこの重量を支持する「Ｔ」装置７２８を備えることができる。
【０１０８】
システム７００の使用中、原子炉建屋７０２の格納容器（図示せず）からの流れ７３０が、「Ｔ」装置７２８の有孔デフレクタシールド７３２に導かれることができ、デフレクタシールド７３２は、微粒子除去部分７１６および／または１つまたは複数の微粒子除去装置７２２として働くことができる。有孔デフレクタシールド７３２は、より大きい放射性微粒子を下方へ導くことができる。有孔デフレクタシールド７３２は、より小さい放射性微粒子、水蒸気、および／またはガスが上方にガス分離器７３４の中に流れることを可能にする。
【０１０９】
水除去部分７１８および／または１つまたは複数の水除去装置７２４として働くことができるガス分離器７３４は、当業者に公知の「水蒸気分離器」技術を使用することができる。ガス分離器７３４は、入口案内羽根（図示せず）、水を捕集するための内部の制御／分割型金属部分（図示せず）、下方への水の流れを可能にする、外側縁部（図示せず）上の内部の流路、および上方案内羽根（図示せず）を備えることができる。ガス分離器７３４の垂直の範囲は、向上した混合およびガス分離器７３４の垂直の範囲に沿ってフィン（図示せず）による熱遮断によって、熱泳動力を最小にするように決定され得る。
【０１１０】
ガス分離器７３４によって除去された水は、放射性極性分子を捕集することができ、次いで放射性極性分子は、パイプおよびループシール７３６を経て第１のマニホールド７３８に運ばれ、次いでそれによって基部７０８に重力排水を提供することができる。
【０１１１】
ガス分離器７３４からの脱水されたガスは、放射性核種除去部分７２０および／または１つまたは複数の放射性核種除去装置７２６まで上方に流れることができる。
【０１１２】
放射性核種除去部分７２０および／または１つまたは複数の放射性核種除去装置７２６からのガスは、ベント口７１２まで上方に流れることができる。ガスが出ていくベント口７１２は、除去された水の中の可溶性極性分子である、極めて低減された含有量の放射性核種を含む可能性がある。
【０１１３】
ガス流が極めて急上昇する事故時には、第１の放射性核種除去装置７２６の中に格納されたろ過材の少なくとも部分が、第１の放射性核種除去装置７２６上方に、次の順番の第２の放射性核種除去装置７２６まで進むことができる。上記に考察するように、第２の放射性核種除去装置７２６まで進んだろ過材の少なくとも部分が、第２の放射性核種除去装置７２６の多孔板のスロートに導かれ、第２の放射性核種除去装置７２６の排出管内に、第２の放射性核種除去装置７２６の第２の出口へ導かれ、次いで第２のマニホールド７４０まで導かれることができ、それによって基部７０８に重力排水を提供することができる。当業者に公知のように、第２のマニホールド７４０の内径および／または平滑度は、通常の固体処理技術によって物質の停滞を軽減するように選択可能である。
【０１１４】
ろ過材の少なくとも部分が、第１の放射性核種除去装置７２６から除去可能であるが、ろ過材の少なくとも部分が、ろ過材の少なくとも部分の表面上に拡散され、吸着される捕集済み放射性核種を保有する可能性がある。
【０１１５】
液体捕集の大部分が、ガス分離器７３４の中で起きることができ、ガス分離器７３４は、水除去部分７１８および／または１つまたは複数の水除去装置７２４として働くことができる。しかし、追加の液体捕集が、放射性核種除去部分７２０および／または１つまたは複数の放射性核種除去装置７２６の中で起きることができる。これによって、除去された水の中の可溶性放射性極性分子の除去が継続する。水除去が繰り返された場合、流れがベント口７１２に向かって流れ続けるにつれて、システム７００のＤＦが向上する。
【０１１６】
放射性核種除去部分７２０および／または１つまたは複数の放射性核種除去装置７２６は、上記に考察するように、ＨＥＰＡフィルタを使用することができる。しかし、ぬれている場合、ＨＥＰＡフィルタは崩壊を起こしやすいので、１つまたは複数の放射性核種除去装置７２６は、ＨＥＰＡフィルタを通って流れるガスが乾燥しているように、ベント口７１２近傍に配置される必要のある可能性がある。
【０１１７】
硬化されたベント配管７０６は、結合バルブ７４２および／または結合部７４４を含むことができ、以下に考察する。
【０１１８】
図８Ａ〜図８Ｃは、いくつかの実施例の実施形態による放射性物質を捕集するためのシステム８００の１次運転モードの図である。図８Ａ〜図８Ｃは、原子炉建屋８０２、斜面８０４、硬化されたベント配管８０６、ベント口８０８、免震構造体８１０、および結合バルブ８１２を図示する。
【０１１９】
システム８００は、待機モード、活性モード、および／または回復モードの３つの１次運転モードを有することができる。
【０１２０】
図８Ａに示すように、設置後、システム８００は、低大気圧状態、または例えば、アルゴンガスによる圧力上昇８１４での不活性状態に封止され得る。低大気圧状態および不活性状態の両方が、作業員に、待機モードのシステム８００が活性モードで運転する準備ができているかどうかを知らせることができる。待機運転モードの「流れがない」状態であれば、システム８００内に格納されたろ過材は、その必要な最初の化学的および物理的形態を保有している。
【０１２１】
図８Ｂに示すように、システム８００は、重大な原子力事故、または格納容器のベントを必要とする可能性がある他の事故によって、活性化され得る。活性化は、圧力上昇８１６をもたらす可能性がある。活性化は、ベント口８０８からガス流を発生させる可能性がある。システム８００が活性化される場合、ＤＦの無次元比は、システム８００に入る汚染物質の量÷ベント口８０８を経てシステム８００を出る汚染物質の量によって定義され得る。ＤＦは、例えば、放射性核種除去部分内の複数の放射性核種除去装置（例えば、放射性核種除去部分７２０の中の複数の放射性核種除去装置７２６）を組み合わせることによって制御可能である。システム８００は、重大な原子力事故の後、数日単位ではなく数か月単位で測定され得る、発電所の安定性が作業員によって取り戻されるまで、必要な作業員の動作から独立して活性モードで作動可能である。
【０１２２】
図８Ｃに示すように、作業員によって発電所の安定性が取り戻された後、原子力発電所の施設の除染および／または廃炉という仕事が開始することができる。ベント口８０８は、封止され得る。システム８００のための格納容器バルブが閉鎖される可能性があり、その結果、システム８００内の放射性核種の回復が発生する可能性がある。一時的な配管が、ベント口８０８、結合バルブ８１２、第１のマニホールド８１８および／または第２のマニホールド８２０に結合され得る。一時的なタンク８２２が、一時的な配管に結合され得る。
【０１２３】
回復によって、圧力低下８２４が発生する可能性がある。回復は、アルミナベッドおよび／またはフミン酸塩ベッドを含むことができる。
【０１２４】
放射性物質のバルクがシステム８００から除去された場合、硬化されたベント配管８０６内のフィルタ（例えば、フィルタ５００）は、封止および除去され得る。ろ過材（例えば、ろ過材５２２）、および硬化されたベント配管８０６の基部８２６内に収集された放射性物質は、同様の方法で処理可能である。
【０１２５】
実施例の実施形態を具体的に図示し、説明してきたが、当業者なら、以下の特許請求の範囲によって定義される本発明の精神および範囲から逸脱せずに、形態および詳細の様々な変形形態が作製可能であることを理解するであろう。
【符号の説明】
【０１２６】
１００  システム
１０２  流れ
１０３  第１の配管
１０４  サブシステム
１０６  予熱器
１０８  再結合器
１１０  第１の凝縮器
１１２  第２の凝縮器
１１３  第２の配管
１１４  第１のバルブ
１１５  第３の配管
１１６  木炭吸着ベッド
１１７  第４の配管
１１８  第２のバルブ
１１９  第５の配管
１２０  第３のバルブ
１２１  第６の配管
１２２  保護容器
１２３  第７の配管
１２４  第４のバルブ
１２５  第８の配管
１２６  第５のバルブ
１２７  第９の配管
２００  システム
２０２  流れ
２０４  第１０の配管
２０６  第１の隔離弁
２０８  第２の隔離弁
２１０  圧力容器
２１２  高速ベンチュリ部
２１４  金属繊維フィルタ部
２１６  第１１の配管
２１８  第１２の配管
２２０  プールの水
２２２  不純物除去済み流れ
２２４  液滴戻り管
２２６  流れ
２２８  第１３の配管
２３０  逆止弁
２３２  オリフィス
２３４  破裂ダイヤフラム
３００  システム
３０２  流れ
３０４  第１の配管
３０６  第１の隔離弁
３０８  第２の隔離弁
３１０  微粒子除去装置
３１２  流れ
３１４  第１５の配管
３１６  水除去装置
３１８  流れ
３２０  第１６の配管
３２２  放射性核種除去装置
３２４  流れ
３２６  第１７の配管
５００  フィルタ
５０２  本体
５０４  フィルタ入口
５０６  多孔板
５０８  排出管
５１０  第１の出口
５１２  第２の出口
５１４  第３の出口
５１６  バイパスライン
５１８  第１の部分
５２０  第２の部分
５２２  ろ過材
５２４  第１のフランジ
５２６  第２のフランジ
５２８  収集トレイ
５３０  第１のスクリーン
５３２  第２のスクリーン
５３４  第２の入口
５３６  破裂ディスク
５３８  第４の出口
５４０  スロート
５４２  第１のマニホールド
５４４  第２のマニホールド
７００  システム
７０２  原子炉建屋
７０４  斜面
７０６  硬化されたベント配管
７０８  基部
７１０  免震構造体
７１２  ベント口
７１４  逆止弁
７１６  微粒子除去部分
７１８  水除去部分
７２０  放射性核種除去部分
７２２  微粒子除去装置
７２４  水除去装置
７２６  放射性核種除去装置
７２８  「Ｔ」装置
７３０  流れ
７３２  デフレクタシールド
７３４  ガス分離器
７３６  ループシール
７３８  第１のマニホールド
７４０  第２のマニホールド
７４２  結合バルブ
７４４  結合部
８００  システム
８０２  原子炉建屋
８０４  斜面
８０６  硬化されたベント配管
８０８  ベント口
８１０  免震構造体
８１２  結合バルブ
８１４  圧力上昇
８１６  圧力上昇
８１８  第１のマニホールド
８２０  第２のマニホールド
８２２  一時的なタンク
８２４  圧力低下
【図１】
2015036685.tif 000003
【図２】
2015036685.tif 000004
【図３】
2015036685.tif 000005
【図４】
2015036685.tif 000006
【図５】
2015036685.tif 000007
【図６】
2015036685.tif 000008
【図７】
2015036685.tif 000009
【図８Ａ】
2015036685.tif 000010
【図８Ｂ】
2015036685.tif 000011
【図８Ｃ】
2015036685.tif 000012
【手続補正書】
【提出日】平成26年10月6日(2014.10.6)
【手続補正１】
【補正対象書類名】図面
【補正対象項目名】全図
【補正方法】変更
【補正の内容】
【図１】
2015036685.tif 000013
【図２】
2015036685.tif 000014
【図３】
2015036685.tif 000015
【図４】
2015036685.tif 000016
【図５】
2015036685.tif 000017
【図６】
2015036685.tif 000018
【図７】
2015036685.tif 000019
【図８Ａ】
2015036685.tif 000020
【図８Ｂ】
2015036685.tif 000021
【図８Ｃ】
2015036685.tif 000022
【外国語明細書】
2015036685000001.pdf